(57)【特許請求の範囲】
【請求項１】
麩素を主要原料とした低密度膨化体からなる交換可能な被切断体と、当該被切断体の下端部に備えた被切断体保持部と、当該被切断体保持部を固定する固定台とを保有する武術用試斬装置
【発明の詳細な説明】
【技術分野】
【０００１】
本発明は、武術用試斬装置に関する。
【背景技術】
【０００２】
試斬（しざん）とは、試し斬り（ためしぎり）、据物斬り（すえものぎり）と同義であり、抜刀術や居合等の武術において、刀剣等の武具を用いて巻藁・畳表・青竹等の切断対象物を斬り抜く行為を示す。
現代の試斬においては、かつて主に使用されていた巻藁の入手が困難になった為、古畳表の一畳分乃至半畳分を、その一端を軸に円柱状に巻き締め紐等で結束したものを「巻藁」と称して使用するのが主流である。
古畳表そのものは一畳につき無料から数百円で入手可能であり、切断対象物を設置する試斬台は、一台数万円するものが相場である。
一般的に試斬を行う場合、安定感のある所定の台に備えられた突起部に切断対象物を差し立てる形で設置（非特許文献１「決定版日本の剣術」，株式会社学研パブリッシング，２０１２年，ｐ．１９１）し、本身と呼ばれる真剣を使用するが、この時、予め切断対象物においては、刃を傷める可能性のある小石や埃を除去してから巻き、一昼夜から数日間アク抜きをしながら水に浸して、準備をしておく。
また、試斬実施後は、錆等の劣化を防ぐため、都度、刀身に付着したアクや汚れを打ち粉や刀油で手入れをする。
このような前準備や実施後の手入れは、実施者らが自らで行うことが一般的である。
【０００３】
従来の試斬においては、まずは切断対象物を想定した空を斬る空間抜刀や素振りの稽古をしたのち、しかるべき指導者について、怪我や事故に細心の注意を払いつつ実際に試斬を行う。その後熟練すれば、神前奉納演武や興行演武等、稽古成果を人前で披露することもある。
【０００４】
関連の稽古道具としては、剣術家に必要とされる能力を向上させる目的で「剣術稽古用つるし木」(特許文献１特開２００２−２９２１５５号公報)という修練具がある。
【０００５】
その他の稽古手段として、模擬食品を玩具包丁にて切断して遊ぶままごと玩具(特許文献２特開２０１１−０９２３２１号公報)を転用する方法もあり、これは面ファスナー等の結合構成物である複数の分割体を結合解除用具を用いて分離させることによって、切断の感覚を得ようとするものである。
【０００６】
また、面ファスナーの代わりに磁石を内包したもの(特許文献３登実３０７００３７号公報)等もあり、より本格的な効果を追求したものがある。
【先行技術文献】
【特許文献】
【０００７】
【特許文献１】特開２００２−２９２１５５号公報
【特許文献２】特開２０１１−０９２３２１号公報
【特許文献３】登実３０７００３７号公報
【非特許文献】
【０００８】
【非特許文献１】「決定版  日本の剣術」，株式会社学研パブリッシング，２０１２年，ｐ．１９１
【非特許文献２】「美術刀剣「刀心」ホームページ」，美術刀剣刀心，http://nihontou.jp/choice03/toukenfuzokuhin/iaiyouhin.htm，居合・試斬用品ページ
【非特許文献３】「日本刀・居合刀のＮＰＳ」，http://www.n-p-s.net/repair.htm,  諸工作代金ページ
【発明の概要】
【発明が解決しようとする課題】
【０００９】
しかしながら従来の試斬装置を用いた修練方法には、以下の難点があげられる。
【００１０】
まず、技能向上の面における難点である。
本身を扱うには怪我や事故の恐れがあるため、試斬を行う者は充分な稽古を積み武術技能の基礎を身に着けておくことが望ましいが、この修練の過程において、初期段階の空間抜刀や素振りの稽古から実際に巻藁試斬に至るまでの、斬り手に要求される武術技能レベルの格差が大きく、中間段階の武術技能に対応する稽古方法がない。
現代社会においては、武術の勝負にて生死を分けることはほとんどなく、試斬及び試斬稽古の意義は、人格形成や体力づくりのためのスポーツ、ストレス解消等のヘルスケアといった生活を豊かにする目的にあることも多いのであるが、そのような生活背景にあって、試斬及び試斬稽古で負傷等をした場合、返って実生活に支障を来すという本末転倒の結果となり兼ねない。
実際に初心の者が試斬を初経験するとき、空間抜刀や素振りの稽古から、急に試斬行為の段階へ進むことに安全面の不安を覚える者もいる。
また、実施者当人が自信を持って試斬にあたった場合でも、切断対象物との距離である間合いが意外に近間であったり、斬撃後の体にかかる負荷に対応するバランスのとり方が不慣れなため、刀剣に必要以上に力を載せてしまった結果、自らの足を数針縫うような怪我を負う者も出ている。
更に、形稽古と呼ばれる正確な所作や理合を確認しながら武術技能を磨く修練を充分に積んだ居合高段者であっても、試斬を初体験するときには失敗してしまうことがあるが、これは前述の通り空間抜刀や素振りの稽古経験しかないため、実際に物を斬った場合の斬撃時における瞬間的な人体の使い方が不慣れなことが要因の一つとして挙げられる。
試斬行為の原始的目的は、切断対象物を斬り抜く行為であり、その目的を可能にするためには刃筋を通すことが肝要である。刃筋とは、切断対象物にどのように刃が入りまた抜けて行ったかの軌道をいうが、試斬における失敗とは、この刃筋が正しく通らず、切断対象物に届かなかったり、斬り込んだ刃が途中で止まって斬り抜けなかったり、目標と異なる部分を斬ってしまったりすることを示す。
このような失敗は、人命にかかわる事故を招く危険性を孕む。
例えば、試斬のために予定された力を載せた武具の刃が切断対象物に届かない場合、斬撃時に吸収されるべき力が吸収されず武具の刃に載ったまま空間に流れ実施者の体が一回転して武具が手から離れてしまったり、或いは斬り込んだ刃が途中で止まったことによる衝撃が実施者の腕を伝わって体に戻りバランスを崩し転倒したりすることがある。本身を扱う場面においては、単に空身で転倒する場合と比べて、その危険性はより深刻さを増すものであり、ちょっとしたきっかけで、自己や周囲に重大な損傷を与え兼ねない。
そこで、間合いの調節や斬撃のタイミングなどの感覚をつかむため、本身での試斬稽古の前段階として剣道用の竹刀にて巻藁を打ちつける稽古方法も採用されることがあるが、試斬で行う「斬撃」と竹刀稽古で行う「打突」での感覚には人体工学的に繊細な違いがあり、「斬る」ことを目的とした場合に必要以上に力んだりすると刃筋が正しく真っすぐに通らない。刃筋が真っすぐに通らずうまく斬り抜けないという課題においては、そもそも斬り抜かない「打突」行為では対応できず、従って当該打突稽古は試斬の前段階の稽古としては必ずしも妥当ではなかった。
或いは、前記既存のままごと玩具（特許文献１特開２００２−２９２１５５号公報）を試斬装置として使用する手段も考えられるが、当該行為で得られる感触は、単に面ファスナーや磁石を分離又は剥離した感触であり、それを実施しようとして人体が使おうとする筋肉の動きや姿勢は、無意識に分離または剥離を念頭に置いた動作になってしまう為、当該手段も試斬を目的とした技能向上のための効果が充分に得られるとは言えない。
また、合理性のある試斬を行うための修練には、実施後の刃筋の確認が参考となるが、打突及び分離や剥離の実施装置では、刃筋を知ることは不可能である。
【００１１】
本発明は、上記武術技能向上効果の面における従来の難点に鑑み、空間抜刀や素振りの稽古から試斬行為へと進む過程において不足していた稽古方法を補い、中間段階の修練手段を実現し、間合いの調節や斬撃のタイミング及び斬撃時における瞬間的な感覚を体得させるとともに刃筋の確認を可能にする武術用試斬装置を提供することを目的とする。
【００１２】
次に、手間の面における難点がある。
試斬実施の前準備や事後手入れにかかる手間においては、修行の一環と解釈した場合、その労力は必ずしも損失とは言えないが、生活環境が多様化している現代社会においては、試斬自体の実施目的もまた多様化しており、修行や稽古の他、スポーツやエンターテインメント、ストレス解消等多岐に渡る。よって、何かとめまぐるしく時間の価値観が高い生活環境に在る実施者が、ストレス解消等に主たる実施目的をおいている場合には、正味実施以外に貴重な時間を費やす負担は大きい。
それに加え、人口増加により狭小空間での生活様式が増加する中、古畳表を水に浸すための大きな容器を保管するスペースの確保もしなければならないことも、負担である。
また、かつての和室建築に代わりフローリングを多く占める洋間建築が増え、巻藁どころか古い畳表すら希少なものとなり入手先を探すことが困難になってきているという現状もある。
【００１３】
本発明は、上記手間の面における従来の難点に鑑み、市場において購入若しくは製造することのできる麩菓子やパンの類の麩素を原料とした低密度膨化体を被切断体に用いることで、調達や準備にかかる膨大な手間を省くことを可能にする武術用試斬装置を提供することを目的とする。
【００１４】
また、経済面における難点がある。
古畳表が入手困難ゆえ、新品を調達して試斬を実施するとなるとコストは上がり、さらに実施準備の手間を省くため業者委託するならば、その分のコストが別途発生（非特許文献２「美術刀剣「刀心」ホームページ」、美術刀剣刀心、http://nihontou.jp/choice03/toukenfuzokuhin/iaiyouhin.htm  居合・試斬用品ページ）する他、古畳表を設置するための試斬台は、固定と安定を維持するために相当の重量と体積を要するので、価格も社会通念上高額なものが多い。しかも、これらを実施する際は、稽古や演武等の実施目的や実施人数に合わせた数量の古畳表及び試斬台が必要であり、実施規模が大きい場合、１００本〜３００本の古畳表を大型車で搬送することもあり、実施前準備や実施後処理の輸送費にかかる経済的な負担は大きい。
これに加え、古畳表を試斬するための武具である本身も高額であり、刃筋を通すことができなかった場合の斬り損じ時にかかる負荷が原因となり刃が曲がってしまった場合、修繕にかかる経済的負担も社会通念上高額である。（非特許文献３「日本刀・居合刀のＮＰＳ」http://www.n-p-s.net/repair.htm  諸工作代金ページ）
【００１５】
本発明は、上記経済面における従来の難点に鑑み、低コストで調達及び手入れ可能な武具にて実施可能であり、かつ本体そのものも低コストな武術用試斬装置を提供することを目的とする。
【００１６】
更に環境面における難点も無視できない。
試斬実施後は、被切断体の残骸が大量に発生するが、従来の試斬装置においては、こうした事業系一般廃棄物を大量に出すこととなり自然環境保全の面から芳しくなかった。
【００１７】
本発明は、上記環境面における従来の難点に鑑み、実施後はコンパクトな一般廃棄物として廃棄することのできる被切断体を有する自然環境保全に配慮した武術用試斬装置を提供することを目的とする。
【００１８】
そして、安全面における難点である。
試斬装置を運搬及び設置する際、或いは稽古時や演武時にぶつかったり倒したりした場合、従来の試斬装置は前述の通り相当の重量と体積があり、落下や引き摺り、本体の破損による怪我や事故を引き起こす危険性があった。
また、刃筋を通すことが出来ていないことによる斬り損じ時にかかる武具への負荷から、武具の刃に金属疲労が起こり折れ飛んでしまう危険性や、切断対象物を固定するために設けられている堅い木材の突起部ごと斬った場合の刃の破損及び実施者の腕に相当なダメージを与えるという危険性もあった。
それに加えて、従来の試斬において使用される本身については、実施者は国の定める法律に基づいて所定の届け出をしなければならない上、その危険性から実施者要件も自ずと限定され、すなわち武術未経験者、高齢者や婦女子等が試斬を体験する機会は少なく、誰でも気軽に実施できるものではなかった。
【００１９】
本発明は、上記安全面に鑑み、軽量で、安全に運搬及び設置又は実施が可能であり、失敗によるダメージの少ない、実施対象者の可能性を広げた武術用試斬装置を提供することを目的とする。
【課題を解決するための手段】
【００２０】
ゆえに、本発明の主たる目的は、本身による試斬行為の前段階において、模擬刀や竹光等の模擬武具の使用に対応した安全性の高い試斬稽古を実現させて、より広い層の実施者に武術的新規効果をもたらし、便利かつ経済的で自然環境保全的な武術用試斬装置を提供することである。
【００２１】
上記の課題を解決するために、本発明は、麩素を主要原料とした低密度膨化体からなる交換可能な被切断体１と、被切断体下端部１ｂに備えた被切断体保持部２と、当該被切断体保持部２を固定する固定台３とを保有することで武術用試斬装置を構成している。（図２）
【００２２】
被切断体１は、麩素を主要原料とした低密度素材から構成されており、畳表を試斬する場合に必要となる力よりも弱い力で斬ることが可能であり、ジュラルミン等の軽量合金で作られた模擬刀や、竹や樫を刀身に見せかけて削った竹光等の模擬武具を使用して実施することができる。
【００２３】
被切断体１は、低密度な素材で構成されており、試斬実施後に発生する被切断体１の残骸は、「廃棄物の処理及び清掃に関する法律」で定義される産業廃棄物には当たらず一般廃棄物として定義されるものであることは元より、低密度という構造上、人間の標準的な力を加える程度で約１／１０〜１／１１程度の体積に容易に圧縮される。
【００２４】
被切断体１は、連続性のある切断行為が可能な膨化体から成る。
【００２５】
被切断体１は、切断面の状態が、目視によって確認できる程度に明らかに出現する膨化体から成る。
【００２６】
被切断体１に、麩素を主要原料とした膨化体素材を用いた場合と、それ以外の素材を用いた場合の切断感及び刃筋比較実験データを表１に示す。
【表１】
0005994134.tif 000002
【００２７】
被切断体１は、麩素という既存素材を主要原料とした低密度膨化体で構成される特徴をもち、市場において購入若しくは製造による調達が可能である。
【００２８】
被切断体１は、被切断体保持部２への嵌脱により交換可能な構造であり、被切断体１を交換するという簡単な手順により本発明再実施への準備が繰り返し可能である。
【００２９】
被切断体１の形状は、どの方向からも実施可能という合理性の観点から円柱状であるが、実施目的に合わせて変形させる場合、これに限定しない（図３）。
【００３０】
被切断体１は軽量な素材から成り、被切断体下端部１ｂを包持する形で備えた被切断体保持部２を固定台３に固着５することで安定性を保つ構造（図４）である。
【００３１】
被切断体保持部２及び固定台３は、破損時の影響や廃棄処理の都合から、厚紙製や軽量な樹脂製が望ましいが、趣旨に反しない素材であれば特に限定しない。
また、固定台３の形状は、柱形状、錐台形状、大きさの大小に限定せず（図５）、固定台３の内部構造は、充填、空洞６に限定しない（図６）。
【００３２】
なお、被切断体上端部１ｃに被切断体被覆部４を設けたり（図７）、本発明装置全体に装飾を施したり（図８）、被切断体切断目標域１ａに着色等の目印１０を施すことも自由である（図９）。
【発明の効果】
【００３３】
以上の説明から明らかなように、本発明にあっては次に列挙する効果が得られる。
【００３４】
（１）被切断体１は低密度素材で構成されており、初心者でも比較的簡単に扱うことのできる模擬武具を使用して実施可能なため、切断箇所に斬り込む際、必要以上に力まず、間合いやタイミングを計ることに集中できる上、斬撃時の抵抗の少ない素材を斬ることから刃筋を通すことが出来ていないことによる斬り損じ時にかかる武具への負荷も少なく、技能が未熟な試斬未経験者や、体力の少ない婦女子及び高齢者等であっても安全性を確保しながら技能向上の効果が得られる。また、模擬武具については、法に基づく認可を得る必要もなく、模擬武具自体の調達や手入れコストが本身に比べて安価であり、気軽に実施できるという効果も得られる。
【００３５】
（２）被切断体１は低密度素材で構成されており、試斬実施後に発生する当該被切断体１の残骸は圧縮できるため、コンパクトな廃棄処理を実現し、自然環境保全に貢献する上、廃棄処理にかかる手続きと費用も抑えることが可能である。
【００３６】
（３）被切断体１は、連続性のある切断行為が可能な膨化体から成り、単に面ファスナーや磁石を剥離または分離する感触や、発泡体を断続的に剥離する行為では得られない、一層本格的な切断感を得ることができるため、空間抜刀や素振りよりも実体験に基づく感覚がつかめるという効果がある。
【００３７】
（４）被切断体１は、膨化体から成るため、切断面の状態が目視によって確認できる程度に明らかに出現する。従って、刃筋の確認において、正しく真直ぐに入った刃の断面は平らかに切断され、刃筋が曲がった時点では粗い断面となることが分かり、実施者の反省及び再実施への対策の参考とすることができるため、武術技能向上の効果を生む。
【００３８】
（５）被切断体１は麩素を主要原料とした低密度膨化体で構成されることから、市場において調達しやすく購入や輸送等において低コストな上、水に浸す等の準備の手間やスペースを費やすことなく、そのまま使用可能であるという利点がある。
【００３９】
（６）被切断体１は交換可能な構造であることから、大がかりな準備無しに実施回数を容易に増やすことが可能となり、武術技能の向上や演武の演出手配の効率化につながるという効果が得られる。
【００４０】
（７）被切断体１は軽量な素材から成るため、固定台３は当該被切断体１を含む本発明装置全体を支え得る程度の重量であれば本発明装置の安定感を維持することが可能であるとともに、堅い素材の突起形固定部を有することもなく、被切断体切断可能域１ａ以外の部分を切断してしまった場合でも、実施者の腕に大きなダメージは与えない。また、本発明装置が倒れた場合でも、その重量に起因する危険は及ばない為、より安全性の高い効果を生む。
【００４１】
（８）試斬において初心の者が実施する場合には、被切断体上端部１ｃに被切断体被覆部４を設けることにより、被切断体切断可能域１ａ内の切断目標を視覚的に認識しやすい上、被切断体被覆部４の重量による適度な負荷がかかり被切断体１がより安定しやすいという効果を生む（図７）。
【００４２】
（９）その他、本物の巻藁を模した装飾を施す等の工夫を加えることで鑑賞用の調度品としての付加価値も向上するという効果が得られる（図８）。
【図面の簡単な説明】
【００４３】
【図１】本発明を実施するための最良の形態の武術用試斬装置斜視図。
【図２】本発明を実施するための最良の形態の武術用試斬装置分解斜視図。
【図３】本発明を実施するためのその他の形態の武術用試斬装置正面図。
【図４】本発明を実施するための最良の固着形態の被切断体保持部及び固定台断面図。
【図５】本発明を実施するためのその他の形態の固定台斜視図。
【図６】本発明を実施するためのその他の形態の固定台断面斜視図。
【図７】本発明を実施するためのその他の形態の武術用試斬装置分解斜視図。
【図８】本発明を実施するためのその他の形態の装飾を施した武術用試斬装置斜視図。
【図９】本発明を実施するためのその他の形態の目印を施した武術用試斬装置正面図。
【図１０】本発明を実施するための最良の使用状態側面図及び写真。
【図１１】本発明を実施するためのその他の形態の固定台断面斜視図。
【図１２】本発明を実施するためのその他の形態の被切断体保持部及び固定台の俯瞰図及び斜視図。
【発明を実施するための形態】
【００４４】
以下、本発明の実施の形態を図に基づいて説明する
【実施例】
【００４５】
図２は、本発明を実施するための最良の形態の武術用試斬装置であって、交換可能な被切断体１の被切断体下端部１ｂを被切断体保持部２に嵌挿させることによって試斬の準備が整う。実施者は本発明装置に立位姿勢１１で向かい、或いは片膝をついて座位姿勢１２で向かい、模擬刀や竹光等の試斬用武具１３を構えて、被切断体切断可能域１ａ内に目標を定めて斬る（図１０）。このとき、試斬方法は袈裟斬り、なぎ斬り、斬り上げ、突き等に応用可能である。
一太刀目すなわち最初の試斬実施の後で、被切断体切断可能域１ａに余裕があれば、そのまま二太刀目、三太刀目と複数の試斬を実施することができる。
複数の試斬実施後、被切断体切断可能域１ａが狭くなったところで、被切断体１を替え用の新しいものに交換することにより、実施当初の一太刀目の状態から再実施が可能である。替え用の被切断体１を複数体用意することで、繰り返し再実施が可能である。
【００４６】
被切断体上端部１ｃに被切断体被覆部４を設けた場合は、一太刀目の試斬実施の後で、斬り落とされた被切断体１の残骸に装着されている被切断体被覆部４を嵌脱し、残った部分の被切断体１の新たに現れた被切断体上端部１ｃに装着し直すことで、二太刀目の試斬の準備が整い、同じように繰り返すことで複数の試斬を実施することができる。
また、試斬技能レベルが上達した上級者においては、敢えて不安定な対象を試斬する稽古の必要性も生まれるため、被切断体被覆部４を被切断体上端部１ｃから嵌脱して実施することにより、試斬技能レベルに応じた効果を得ることができる。
【００４７】
試斬用武具１３は一般的な模擬刀剣類以外にも模擬薙刀やヌンチャク等に応用可能である。
【００４８】
被切断体保持部２の上縁７と被切断体被覆部４の下縁８及び被切断体被覆部４の天蓋９を水平の形状の他、傾斜をつけた形状にしてもよい。これによって袈裟斬りの実施の際に、視覚的な誘導の効果が生まれ、また鑑賞価値としての効果も広がる（図８）。
【００４９】
被切断体１の表面に着色等で目印１０を施し、切断目標を弓の的やダーツのブルのように限定して修練する方法も技能向上に効果的である（図９）
【００５０】
被切断体保持部２を固定台３に固着５することで本発明装置は自立するが、このとき、実施者の試斬技能が低い場合、斬撃時に固定台３が動いてしまう可能性があるため、固定台３を樹脂等の空洞容器形状にし、蓋１５を設けて、内部に水、砂、小豆等の実施者の武術技能レベルに応じた重量の錘１４を入れられる様にしてもよい（図１１）。
【００５１】
市販の水泳用腕輪形浮袋等の空気袋１６を、被切断体保持部２の内径と被切断体下端部１ｂの外径との間に挟み、空気袋１６に空気を入れて膨らませることによって、空気袋１６の包囲圧により被切断体１を固定することも可能である（図１２）。このとき、被切断体１を被切断体保持部２の内径の下方に設置、或いは上方に設置する等のバリエーションを持たせることで、段階的に被切断体１の高さ調節をすることができる。また、被切断体保持部２の側面にくり抜き穴１７を設け、空気袋１６の空気吹込口１８を突出させてもよい。
【産業上の利用可能性】
【００５２】
本発明は、武術用試斬装置を製造販売する産業で利用される。
また、遊戯用玩具、興行用小道具、日本文化的鑑賞品を取り扱う分野においても産業利用が可能である。
その他、娯楽・観光施設等において模擬武術ゲーム等の実施により武術体験を提供する事が可能である。
【符号の説明】
【００５３】
１    被切断体
１ａ  被切断体切断可能域
１ｂ  被切断体下端部
１ｃ  被切断体上端部
２    被切断体保持部
３    固定台
４    被切断体被覆部
５    固着部
６    固定台内部空洞構造
７    被切断体保持部上縁
８    被切断体被覆部下縁
９    被切断体被覆部天蓋
１０  被切断体切断目標域目印  
１１  実施時の立位姿勢使用状態  
１２  実施時の座位姿勢使用状態  
１３  試斬用武具  
１４  錘  
１５  空洞固定台蓋
１６  空気袋  
１７  くり抜き穴
１８  空気吹込口
【要約】
【課題】本発明は、真剣による試斬の前段階において、模擬刀や竹光等の模擬武具を使用した安全性の高い試斬を実現させて、実施者に武術的新規効果をもたらし、より便利で経済的かつ自然環境保全的な武術用試斬装置を得ることにある。
【解決手段】麩素を主要原料とした低密度膨化体からなる交換可能な被切断体１と、当該被切断体１の下端部１ｂに備えた被切断体保持部２と、当該被切断体保持部２を固定する固定台３とを保有する武術用試斬装置を構成する
【選択図】図２【図１】
0005994134.tif 000003
【図２】
0005994134.tif 000004
【図３】
0005994134.tif 000005
【図４】
0005994134.tif 000006
【図５】
0005994134.tif 000007
【図６】
0005994134.tif 000008
【図７】
0005994134.tif 000009
【図８】
0005994134.tif 000010
【図９】
0005994134.tif 000011
【図１０】
0005994134.tif 000012
【図１１】
0005994134.tif 000013
【図１２】
0005994134.tif 000014